(57)【特許請求の範囲】
【請求項１】
紙葉類を一枚ずつ集積部に取込んで集積する紙葉類集積装置であって、
紙葉類を挟持して上記集積部の入口に搬送する１対の搬送ローラと、
上記集積部の入口に配設され、上記搬送ローラにより搬送された紙葉類の後端部をはたいて取込む羽根車と、
上記集積部の紙葉類を集積方向に押圧し、この集積部への紙葉類の搬入力に連動して押圧位置より一時的に退避する押圧レバーとを備え、
上記押圧レバーに備わる紙葉類との当接面を、上記羽根車より搬送上流に設けられた上記搬送ローラ近傍に配設したことを特徴とする
紙葉類集積装置。
【請求項２】
上記押圧レバーは、上記集積部の紙葉類の先端側を押圧することを特徴とする
請求項１記載の紙葉類集積装置。
【発明の詳細な説明】
【０００１】
【発明の属する技術分野】
この発明は、自動取引機に内部構成されるような紙葉類集積装置に関し、さらに詳しくは紙幣等の紙葉類を一枚ずつ高速に安定して取込み集積する紙葉類集積装置に関する。
【０００２】
【従来の技術】
一般に、この種の紙葉類集積装置は、図８に示すように、前段の挟持搬送ローラ８１より導いた紙葉類８２を収納箱８３の上部一側の取込み位置に配設した集積ローラ８４と羽根車８５で一枚ずつ強制的にはたき落して下方の収納箱８３に集積している。
【０００３】
この集積過程で紙葉類８２が収納箱８３に導かれたとき、紙葉類８２は収納箱８３の上部一側より略水平方向に搬入し、そのまま勢いよく直進して収納箱８３奥方の垂直壁面８６に紙葉類先端が当り、ここで紙葉類８２は搬入制止され、これより羽根車８５で紙葉類８２の後端部がはたき落されて下方に集積される。
【０００４】
【発明が解決しようとする課題】
しかし、図９に示すように、長さが異なる紙葉類を混合集積したとき、短寸紙葉類８２ａは収納箱８３の奥方に移動して羽根車８５の回転接触領域外に離れて、羽根車８５の強制集積作用を受けずに緩やかに落下するため次搬入紙葉類と衝突してジャムの発生を誘起する。
【０００５】
さらに、図１０に示すように、収納箱８３内では既集積紙葉類の上面に連続して紙葉類８２が集積するため、折れ癖を有していたり、変形してふわふわしていると、収納箱８３内の集積空間を狭めてしまい、規定の枚数を収納できなくなり、紙葉類の収納効率を低下させてしまう。
【０００６】
このため、図１１に示すように、集積部１１１の前段に、回転羽根１１２間で紙葉類１１３を一枚ずつ確実に集積ガイドし、かつ回転羽根１１２の先端で紙葉類１１３を押えて集積空間を確保する集積ホイール１１４を配設し、この集積ホイール１１４の集積作用によりジャムの発生を抑制する紙葉類集積装置が知られている。ところが、この場合は回転羽根間に紙葉類を導くための集積ホイールの回転制御を必要とし、また大きな集積ホイールのために装置が大型化及びコスト高となる問題を有していた。
【０００７】
そこでこの発明は、集積部に導かれる紙葉類の搬入力に着目し、この紙葉類の搬入力を集積動作に利用して紙葉類を一枚ずつ安定して集積動作させることができる紙葉類の集積性能を高めた紙葉類集積装置の提供を目的とする。
【０００８】
【課題を解決するための手段】
請求項１記載の発明は、紙葉類を一枚ずつ集積部に取込んで集積する紙葉類集積装置であって、紙葉類を挟持して上記集積部の入口に搬送する１対の搬送ローラと、上記集積部の入口に配設され、上記搬送ローラにより搬送された紙葉類の後端部をはたいて取込む羽根車と、上記集積部の紙葉類を集積方向に押圧し、この集積部への紙葉類の搬入力に連動して押圧位置より一時的に退避する押圧レバーとを備え、上記押圧レバーに備わる紙葉類との当接面を、上記羽根車より搬送上流に設けられた上記搬送ローラ近傍に配設したことを特徴とする。
【０００９】
請求項２記載の発明は、上記押圧レバーは、上記集積部の紙葉類の先端側を押圧することを特徴とする。
【００１０】
【発明の作用及び効果】
この発明によれば、紙葉類を一枚ずつ集積部に搬入させて集積する際、紙葉類の搬入前は押圧レバーにより、集積部の紙葉類を集積方向に押圧して圧縮状態に集積保持するため、集積空間を確保して多数枚を集積することができる。また、この集積部への紙葉類の搬入時は、一枚の紙葉類の搬入力に連動して押圧レバーが押圧位置より一時的に退避するため、この搬入される紙葉類の集積に支障のない集積空間が得られる。紙葉類の集積後は、再び押圧レバーが集積部の紙葉類を集積方向に押圧して圧縮状態に集積保持し、次の紙葉類の集積に備える。
【００１１】
このように、押圧レバーが紙葉類の搬入毎に集積部内で押圧・退避する構成のため、長さが異なる紙葉類を混合して集積動作しても、この押圧レバーにより全て押圧して次搬入紙葉類との衝突を避けるため、ジャムの発生を防止することができる。また、折れ癖紙葉類や変形紙葉類を連続して集積しても、押圧レバーで押圧するため嵩張らず、この集積部には多くの紙葉類を集積することができる。
【００１２】
また、紙葉類の搬入力に連動して押圧位置より一時的に退避する押圧レバーを用い、押圧レバーに備わる紙葉類との当接面を、搬送ローラ近傍に配設するので、一枚の紙葉類の搬入力を効率よく利用した連動式の押圧、退避構造が得られ、ことに紙葉類の集積性能を高める集積機能を既存の大きさのままで、しかも簡易構成で低コストに達成することができる。
【００１３】
また、紙葉類を集積方向にはたき込む羽根車を備えるので、この羽根車の強制集積作用によって搬入した紙葉類を集積方向に速かに強制集積し、次搬入紙葉類との衝突を確実に回避する。
【００１４】
また、集積される紙葉類の先端側を押圧するように設定すれば、集積部の奥方へと搬入される紙葉類の全てを確実に押圧することができる。
【００１５】
【実施例】
この発明の一実施例を以下図面に基づいて詳述する。
図１及び図２は紙幣集積装置１１を示し、この紙幣集積装置１１は紙幣Ａ…を上下方向に一枚ずつ積重ねて集積する集積ケース１２と、この集積ケース１２の上部一側に開口する搬入口１３に配設した紙幣取込み機構１４と、紙幣Ａの搬入動作に応じて上下動する押圧レバー１５とから構成される。
【００１６】
上述の紙幣取込み機構１４は、前段に紙幣Ａを水平に挟持搬送する上下一対の挟持搬送ローラ１６を配設し、ここに導かれた紙幣Ａを集積ケース１２の搬入口１３へと挟持搬送し、この搬入口１３を挟む上下位置に集積ローラ１７と羽根車１８を対設している。そして、前段から導かれた紙幣Ａを集積ローラ１７と羽根車１８で挟持して一枚ずつ取込み処理し、またこの紙幣Ａの取込み時に羽根車１８で一枚ずつ強制的にはたき落して下方の集積ケース１２内に速やかに降下させて集積する。
また、集積ケース１２内には集積空間を確保するための押圧レバー１５の一端を臨ませている。この押圧レバー１５は集積ケース１２の外方位置から内方位置に至る長尺板状を有し、この外方位置のレバー基端部１５ａを外部の支点ピン１９を介して傾動自由に取付け、この支点ピン１９を傾動支点にレバー先端部１５ｂを上下動させて集積ケース１２内の上方より臨ませている。
【００１７】
また、レバー基端部１５ａの上面には押圧バネ２０を対設し、この押圧バネ２０の押圧作用により押圧レバー１５を常時下向きに押圧付勢している。押圧付勢されたレバー先端部１５ｂは集積ケース１２内で上方空間部より下向きに押圧付勢して集積された紙幣Ａを圧縮状態に押圧する。この圧縮集積により、集積ケース１２内に集積空間を確保して多数枚の紙幣を集積する。
【００１８】
この場合、レバー先端部１５ｂを集積ケース１２内の中央部より若干奥方の位置に設定して押圧させ、この集積ケース１２内に勢いよく搬入される短寸紙幣や長寸紙幣との全ての紙幣Ａが同ケース１２内の奥方へと勢いよく搬入されるため、このレバー先端部１５ｂが紙幣の全てと押圧対応可能な位置となり、集積紙幣を確実に押圧する。
【００１９】
さらに、レバー中間部の下面側には斜め下向きに緩かに傾斜する傾斜当接面１５ｃを有しており、この傾斜当接面１５ｃに、搬入されて来た紙幣Ａの先端が傾斜当接しながら搬入することにより、この当接力を受けた押圧レバー１５は支点ピン１９を傾動支点に上方に押し上げられ、この紙幣Ａの搬入力に連動して押圧レバー１５は押圧バネ２０の押圧力に抗して一時的に紙幣の搬入に支障のない上動位置に退避し、この集積空間の確保によって、集積ケース１２内での既集積紙幣と搬入紙幣との衝突を回避してジャムの発生を解消した安定した集積が行える。
【００２０】
また、紙幣の搬入力を受けて押し上げられていた押圧レバー１５は、紙幣の集積時に再び上方より下向きの集積方向に押圧付勢して集積された紙幣を圧縮状態に押圧保持する。
【００２１】
このように、押圧レバー１５が一枚の紙幣の搬入力を効率よく利用して押圧・退避する連動式の簡易構成のため、装置全体が大型化せず、低コストで紙幣の取込み空間が得られる。また集積ケース１２内にあっては、嵩張り易い折れ癖紙幣や変形紙幣を連続して集積しても、複数に並列配設した押圧レバー１５で均等に押圧するため嵩張らず、紙幣の形状に拘らず多くの紙幣を集積することができる。
【００２２】
また、搬入口１３の位置には搬入された紙幣を集積方向にはたき込む羽根車１８を配設しているため、この羽根車１８の強制集積作用によって搬入した紙幣Ａを集積方向に速かに強制集積し、次搬入紙幣との衝突を確実に回避する。
【００２３】
このように構成された紙幣集積装置１１を、図１〜図６の紙幣集積処理動作を参照して説明する。
この紙幣集積装置１１の集積待機時は、図１及び図２に示すように、押圧レバー１５が集積ケース１２内の既集積紙幣を上方から集積方向に押圧して圧縮状態に集積保持している。このため、集積ケース１２内の上方には十分な集積空間を確保して多数枚の紙幣を集積許容する。
【００２４】
この待機状態で、今、搬入口１３に紙幣Ａが導かれると、この導かれた紙幣Ａは、図３及び図４に示すように、紙幣取込み機構１４の挟持搬送ローラ１６に挟持されて水平に搬入し始め、この水平搬入時に紙幣Ａの先端が押圧レバー下面の傾斜当接面１５ｃに緩やかに傾斜当接し、このときの紙幣の搬入力に連動して押圧レバー１５は支点ピン１９を傾動支点に上方に押し上げられ、搬入紙幣に支障のない上方位置に一時退避する。
【００２５】
これにより、集積ケース１２内の上方に集積に適した集積空間を確保し、紙幣Ａは搬入口１３より略水平方向に搬入してそのまま勢いよく直進し、集積ケース１２奥方の垂直壁面に紙幣先端が当って搬入制止される。
【００２６】
このとき、図５に示すように、搬入された紙幣Ａは後端部側が羽根車１８ではたき落され、先端部側がレバー先端部１５ｂで押圧されて、下方に向けて平面的に押し下げられて強制集積される。
【００２７】
また、連続して集積動作する場合は、図６に示すように、紙幣Ａが搬入される毎に連動して押圧レバー１５が上下動し、この押圧レバー１５の上下動に伴う押圧・退避作用により一枚ずつ確実に集積動作を実行する。ことに、外国紙幣のように金種によって大きくサイズの異なる紙幣を混合集積する場合であっても集積ケース１２内で確実に集積動作することができる。
【００２８】
図７は電動式の紙幣集積装置７１を示し、この電動式の紙幣集積装置７１は押圧レバー７２を機械的に上下動させるようにしたものであって、押圧レバー７２を駆動するソレノイド７３と、集積ケース７４の搬入口７５に配設した搬入検知センサ７６とを有し、搬入検知センサ７６の検知信号に同期してソレノイド７３を駆動することにより、搬入紙幣Ａと同期した押圧・退避動作が得られ、この場合は搬入紙幣の変形や腰の弱い紙質に左右されない集積動作が得られる。
上述のように、集積ケースに紙幣を搬入する前は押圧レバーにより、集積ケース内に集積されている紙幣を集積方向に押圧して圧縮状態に集積保持するため、集積ケースの上部に十分な集積空間を確保して多数枚を集積することができる。また、この集積ケース内への紙幣の搬入時は、紙幣の搬入に連動して押圧レバーが押圧位置より一時的に退避するため、この搬入される紙幣の前方に集積に適した集積空間が的確に得られる。この紙幣の集積後は、紙幣の搬入通過に伴って再び押圧レバーによる押圧作用が働いて紙幣を圧縮状態に集積保持し、この押圧・退避を繰返して紙幣を一枚ずつ集積する。
【００２９】
このように、押圧レバーが紙幣の搬入毎に集積ケース内で押圧・退避する構成のため、既集積紙幣と次搬入紙幣との衝突を避けることができるため、ケース内でのジャムの発生を防止することができる。また、折れ癖紙幣や変形紙幣を連続して集積しても、押圧レバーで一枚ずつ確実に押圧するためケース内では嵩張らず、多くの紙幣を集積することができる。
【００３０】
また、一枚の紙幣の搬入力を効率よく利用した連動式の押圧、退避構造のため、簡易構成で低コスト化が図れ、既存の大きさのままで紙幣の集積性能を高めることができる。また、紙幣を集積方向にはたき込む羽根車の強制集積作用によって紙幣を速かに強制集積し、また集積される紙幣の先端側を押圧するため、集積ケースの奥方へと搬入される紙幣の全てと対応して確実に押圧することができる。さらに、紙幣の集積動作に連動して機械的に押圧・退避する集積動作を行えば、紙幣の変形や紙質に左右されない集積動作が得られる。
【００３１】
この発明と、上述の実施例の構成との対応において、
この発明の紙葉類集積装置は、実施例の紙幣集積装置１１に対応し、
以下同様に、
紙葉類は、紙幣Ａに対応し、
集積部は、集積ケース１２に対応し、
搬送ローラは、挟持搬送ローラ１６に対応し、
押圧レバーは、押圧レバー１５，７２に対応し、
当接面は、傾斜当接面１５ｃに対応するも、
この発明は、請求項に示される技術思想に基づいて応用することができ、上述の実施例の構成のみに限定されるものではない。
【図面の簡単な説明】
【図１】  この発明の紙幣集積装置の集積待機状態を示す側面図。
【図２】  この発明の紙幣集積装置の集積待機時の要部正面図。
【図３】  この発明の紙幣集積装置の紙幣搬入状態を示す側面図。
【図４】  この発明の紙幣集積装置の紙幣搬入時の要部正面図。
【図５】  この発明の紙幣集積装置の集積動作状態を示す側面図。
【図６】  この発明の紙幣集積装置の連続集積状態を示す側面図。
【図７】  この発明の電動式の紙幣集積装置を示す側面図。
【図８】  従来の紙葉類集積装置の紙葉類搬入状態を示す側面図。
【図９】  従来の紙葉類集積装置の紙葉類集積状態を示す側面図。
【図１０】  従来の紙葉類集積装置の膨んだ紙葉類集積状態を示す側面図。
【図１１】  従来の集積ホイールを備えた紙葉類集積装置の集積状態を示す側面図。
【符号の説明】
１１…紙幣集積装置
１２，７４…集積ケース
１３，７５…搬入口
１４…紙幣取込み機構
１５，７２…押圧レバー
１５ｂ…レバー先端部
１５ｃ…傾斜当接面
１８…羽根車
Ａ…紙  幣
７１…電動式の紙幣集積装置
７３…ソレノイド
７６…搬入検知センサ
【図１】
0003765669.tif 000002
【図２】
0003765669.tif 000003
【図３】
0003765669.tif 000004
【図４】
0003765669.tif 000005
【図５】
0003765669.tif 000006
【図６】
0003765669.tif 000007
【図７】
0003765669.tif 000008
【図８】
0003765669.tif 000009
【図９】
0003765669.tif 000010
【図１０】
0003765669.tif 000011
【図１１】
0003765669.tif 000012